(57)【要約】      （修正有）【課題】釣り糸が断裂し、又は、浮標が釣り糸から離脱しても、浮標を回収して魚釣りを持続することができる発光浮標を提供する。【解決手段】電力を提供すると指示光源を発生する少なくとも一つのエレクトロルミネッセンス素子１０１を備える浮標先端１０と、釣り糸が挿通して連接する穿孔１１１を備える浮標脚１１と、エレクトロルミネッセンス素子１０１を駆動して指示光源を発生する電力を供給する電力供給ユニットと、浮標脚１１を組付けるための連接部１２２と、浮標先端と浮標脚１１の間に設けられる浮標本体１２と、を備え、連接部１２２は、浮標本体１２の内壁面に沿って設けられる磁力吸引子１２３を含む。【選択図】図１
0003179390.tif 000002
【実用新案登録請求の範囲】
【請求項１】
電力を提供すると指示光源を発生する少なくとも一つのエレクトロルミネッセンス素子（１０１）を備える浮標先端（１０）と、
釣り糸が挿通して連接する穿孔（１１１）を備える浮標脚（１１）と、
前記エレクトロルミネッセンス素子（１０１）を駆動して指示光源を発生する電力を供給する電力供給ユニット（１２１）と、
前記浮標脚（１１）を組付けるための連接部（１２２）と、
前記浮標先端（１０）と前記浮標脚（１１）の間に設けられる浮標本体（１２）と、
を備え、
前記連接部（１２２）は、前記浮標本体（１２）の内壁面に沿って設けられる磁力吸引子（１２３）を含むことを特徴とする発光浮標。
【請求項２】
前記磁力吸引子（１２３）は、前記連接部（１２２）に設けられ、前記電力供給ユニット（１２１）と前記浮標脚（１１）の間に介在することを特徴とする、請求項１に記載の発光浮標。
【請求項３】
前記磁力吸引子（１２３）は、前記浮標本体（１２）の内部にある前記電力供給ユニット（１２１）に垂直するように設けられることを特徴とする、請求項１に記載の発光浮標。
【考案の詳細な説明】
【技術分野】
【０００１】
本考案は、発光浮標に関し、特に、浮標本体に磁力吸引子が設けられ、浮標と連接する釣り糸が断裂したときに、浮標を回収可能な発光浮標に関するものである。
【背景技術】
【０００２】
浮標は、水面に浮き上がって魚が餌を食っているかどうかを判断するためのものである。魚釣りの場所及び状況によって、ユーザの採用する浮標が異なる。周りの光度がより低い場所で魚を釣る場合には、浮標の動作の変化を良く観察できないため、釣り竿を引上げるタイミングを良く判断できない問題がある。
【０００３】
上記の問題を解決するために、浮標先端に蛍光塗料を塗布することにより、ユーザは浮標の動作の変化を良く観察できるようになる。しかし、蛍光塗料は、自体で発光できず、外部の光線を反射するものであるため、ユーザは光源を別に用意して光源による光線を浮標に投射することが必要であり、そうしないと、浮標の動作の変化を良く観察できない。このような問題を解決するために、少なくとも一つのエレクトロルミネッセンス素子を利用する発光浮標が開発されて市販されている。前記発光浮標は、浮標先端にエレクトロルミネッセンス素子が設けられ、エレクトロルミネッセンス素子に電力を供給すると、浮標先端が発光し、これにより、周りの光度がより低い場所で魚を釣っても、浮標の動作の変化を良く観察できる。しかし、上記の発光浮標は、その内部に電力構造（例えば電力供給ユニットや電力管理ユニットなど）を設けることが必要であるため、その価格が従来のものよりも高い。また、天気が良くなく、又は浮標に釣り糸が十分に連結していない場合には、釣り糸が断裂し、又は浮標が釣り糸から離脱しやすい。一般の浮標は、釣り糸から離脱すると回収できないため、ユーザが予備の浮標を用意しないと、魚釣りを持続することができない問題がある。
【考案の概要】
【考案が解決しようとする課題】
【０００４】
そこで、本考案は上記従来の発光浮標における問題点に鑑みてなされたものであって、本考案の主な目的は、釣り糸が断裂し、又は、浮標が釣り糸から離脱しても、浮標を回収して魚釣りを持続することができる発光浮標を提供することにある。
【課題を解決するための手段】
【０００５】
上記目的を達成するためになされた本考案による発光浮標は、電力を提供すると指示光源を発生する少なくとも一つのエレクトロルミネッセンス素子１０１を備える浮標先端１０と、釣り糸が挿通して連接する穿孔１１１を備える浮標脚１１と、エレクトロルミネッセンス素子１０１を駆動して指示光源を発生する電力を供給する電力供給ユニット１２１と、浮標脚１１を組付けるための連接部１２２と、浮標先端１０と浮標脚１１の間に設けられる浮標本体１２と、
を備え、連接部１２２は、浮標本体１２の内壁面に沿って設けられる磁力吸引子１２３を含むことを特徴とする。
【０００６】
本考案の発光浮標によると、磁力吸引子１２３は、連接部１２２に設けられ、電力供給ユニット１２１と浮標脚１１の間に介在することが好ましい。
【０００７】
本考案の発光浮標によると、磁力吸引子１２３は、浮標本体１２の内部にある電力供給ユニット１２１に垂直するように設けられることが好ましい。
【考案の効果】
【０００８】
本考案の発光浮標によれば、釣り糸が断裂し、又は浮標が釣り糸から離脱しても、浮標を回収して魚釣りを持続することができるという効果を有する。
【図面の簡単な説明】
【０００９】
【図１】本考案の一実施例の発光浮標の斜視図である。
【図２】本考案の一実施例の発光浮標の断面図である。
【図３】本考案の一実施例の発光浮標に合う浮標回収装置の断面図である。
【図４】本考案の一実施例の発光浮標の使用状態を示す模式図である。
【考案を実施するための最良の形態】
【００１０】
次に、本考案に係る発光浮標を実施するための形態を図面を参照しながら説明する。
図１は本考案の一実施例の発光浮標の斜視図であり、図２は本考案の一実施例の発光浮標の断面図である。本考案の発光浮標は、浮標先端１０と、浮標脚１１と、浮標先端１０と浮標脚１１の間に設けられた浮標本体１２と、を備える。浮標先端１０は、電力が提供されると発光する少なくとも一つのエレクトロルミネッセンス素子１０１を備える。前記指示光源により、周りの光度がより低い場所で魚を釣っても、浮標の動作の変化を良く観察できる。更に、発光浮標に色温度が互いに異なる複数のエレクトロルミネッセンス素子１０１を設ける場合には、浮標先端１０に階調が形成され、これにより、ユーザは浮標の動作の変化を容易に観察できる。浮標脚１１は、釣り糸が挿通して連接する穿孔１１１を備える。浮標本体１２は、エレクトロルミネッセンス素子１０１を駆動して指示光源を発生する電力を供給する電力供給ユニット１２１と、浮標脚１１を組付けるための連接部１２２と、を備え、浮標先端１０と浮標脚１１の間に設けられる。電力供給ユニット１２１は蓄電池（例えばニッケル水素電池やリチウムイオン電池など）でもよい。連接部１２２は磁力吸引子１２３を備える。磁力吸引子１２３の磁力吸引力を増強するために、磁力吸引子１２３は浮標本体１２の内壁面に沿って設けられる。これにより、磁力吸引子１２３は外部の磁力吸引子（図示せず）と容易に吸着される。具体的には、磁力吸引子１２３は、図１に示すように、連接部１２２に設けられ、電力供給ユニット１２１と浮標脚１１の間に介在する。磁力吸引子１２３は、永久磁石又は鉄製品などであり、浮標本体１２の内部にある電力供給ユニット１２１に垂直するように設けられる。浮標本体１２は、更に、電力管理ユニット１２４を含む。電力管理ユニット１２４により、電力供給ユニット１２１への電力の供給を管理でき、エレクトロルミネッセンス素子１０１のオン・オフ状態を制御できる。
【００１１】
図３は本考案の一実施例の発光浮標に合う浮標回収装置の断面図である。本考案の発光浮標によれば、別の磁力吸引子、又は浮標回収装置によって発光浮標を回収できる。前記浮標回収装置は、連接端２０と、磁力吸引端２１と、を備える。連接端２０には釣り糸が接続される。ユーザは、前記浮標回収装置を投げ出して釣り糸を引き戻すことにより、本考案の発光浮標を回収できる。磁力吸引端２１は、本考案の発光浮標にある磁力吸引子１２３を吸引できる。磁力吸引子１２３が永久磁石である場合には、磁力吸引端２１の磁性が磁力吸引子１２３の磁性と異なる。すなわち、磁力吸引子１２３の浮標本体１２の内壁面に面する面の磁性がＮ極である場合には、磁力吸引端２１の磁性がＳ極である。また、図３に示すように、前記浮標回収装置は、更に、収容空間２２を有し、収容空間２２の一端が磁力吸引端２１に覆われている。ユーザが前記浮標回収装置を利用したいときには、収容空間２２に蛍光具３０を配置して、磁力吸引端２１により収容空間２２を密封する。蛍光具３０により、前記浮標回収装置が微小な光線を反射するため、ユーザが前記浮標回収装置の位置を把握できる。
【００１２】
図４は本考案の一実施例の発光浮標の使用状態を示す模式図である。本考案の発光浮標によって魚を釣っているときには、釣り糸が断裂すると、前記発光浮標が水面に浮き上がる。このとき、ユーザは前記浮標回収装置によって前記発光浮標を回収できる。すなわち、ユーザは、前記発光浮標の位置を把握して、前記発光浮標へ前記浮標回収装置を投げ出して、前記浮標回収装置が水面に落下したときに、蛍光具３０に反射される光線により前記浮標回収装置の位置を把握できる。前記浮標回収装置と前記発光浮標の距離が遠すぎる場合に、ユーザは、連接端２０と連結する釣り糸を引き戻すことにより、前記浮標回収装置を回収して、もう一度前記発光浮標へ前記浮標回収装置を投げ出すことができる。なお、前記浮標回収装置と前記発光浮標の距離が近い場合に、ユーザは、磁力吸引端２１により前記発光浮標の磁力吸引子１２３を吸着して、連接端２０と連結する釣り糸を引き戻すことにより、前記発光浮標を回収できる。
【００１３】
尚、本考案は、上述の実施形態に限られるものではない。本発明の技術的範囲から逸脱しない範囲内で多様に変更実施することが可能である。
【符号の説明】
【００１４】
１０  浮標先端
１１  浮標脚
１２  浮標本体
２０  連接端
２１  磁力吸引端
２２  収容空間
３０  蛍光具
１０１  エレクトロルミネッセンス素子
１１１  穿孔
１２１  電力供給ユニット
１２２  連接部
１２３  磁力吸引子
１２４  電力管理ユニット
【産業上の利用可能性】
【００１５】
本考案は、浮標に適用することができる。
【図１】
0003179390.tif 000003
【図２】
0003179390.tif 000004
【図３】
0003179390.tif 000005
【図４】
0003179390.tif 000006